(57)【要約】【課題】海藻付き紐状体を基質プレートに安定的かつ確実に固定して、海藻種苗を安定的かつ効率良く育成できる海藻種苗の育成方法を提供すること。【解決手段】ガラスマットの上にポリエステル編地を積層して不飽和ポリエステル樹脂により一体化した基質プレート１の表面に溝部１１を形成して、その溝部１１に海藻付き紐状体２を挿入し、海藻付き紐状体２を溝部１１に挿入した後、海藻付き紐状体２と基質プレート１をゴムバンド３で固定すると共に、接着剤４で海藻付き紐状体２を溝部１１に固定し、海藻付き紐状体２がゴムバンド３および接着剤４で溝部１１に固定された基質プレート１を培養水に浸けて海藻種苗を育成する。【選択図】図４
2013078283.tif 000002
【特許請求の範囲】
【請求項１】
少なくともガラスマットの上にポリエステル編地を積層して合成樹脂の含浸により一体化した基質プレートの表面に溝部を形成し、その溝部に海藻の胞子や幼体等の海藻種苗が付着した海藻付き紐状体を挿入した後、接着剤で海藻付き紐状体を該溝部に固定し、この海藻付き紐状体が接着剤で溝部に固定された基質プレートを培養水に浸けて海藻種苗を育成することを特徴とする海藻種苗の育成方法。
【請求項２】
請求項１記載の海藻種苗の育成方法において、
前記基質プレートは、
ガラスマットと、発泡性気泡マットと、ガラスマットと、ポリエステル編地の順に積層した４層構造とし、それらを不飽和ポリエステル樹脂により一体化したことを特徴とする海藻種苗の育成方法。
【発明の詳細な説明】
【技術分野】
【０００１】
本発明は、藻場造成などに使用するツルアラメ、アラメ、カジメ、コンブ等の海藻種苗を育成する海藻種苗の育成方法に関する。
【背景技術】
【０００２】
本件出願人は、海藻種苗の育成方法として、海藻の胞子や幼体を付着させた基質プレートを水槽内の培養水に浮かべ、その基質プレートに付着した胞子や幼体が水槽内の培養水と接触し得るようにするとともに、その基質プレートの上方から培養水を散布し、それら水槽内の培養水（海水）と上方から散布される培養水とによって、珪藻の付着を抑制しながら基質プレートに付着した胞子等の海藻種苗を育成する海藻種苗の育成方法を既に出願している（特許文献１参照）。
【０００３】
ところで、上述の海藻種苗の育成方法では、海藻の胞子等の海藻種苗を基質プレートに直接付着させているため、海藻種苗を効率良く成育しようとすると、基質プレートの面積を大きくする必要があり、必然的に基質プレートを浮かべる水槽も大きくなるという問題がある。そこで、海藻の胞子や幼体等の海藻種苗を合成繊維ロープに付着させた海藻付き紐状体を形成し、斯かる海藻付き紐状体を木質角材からなる基質プレートにステープルで固定し、これを増殖基盤に取り付けて海底に設置する方法が提案されている（特許文献２参照）。
【先行技術文献】
【特許文献】
【０００４】
【特許文献１】特開２０１１―３０５０９号公報
【特許文献２】特開２００２−２４７９２５号公報
【発明の概要】
【発明が解決しようとする課題】
【０００５】
しかし、海藻付き紐状体を木質角材からなる基質プレートの上に固定した場合には、ブロック等の増殖基板の表面に取り付けて海底に設置すると、基質プレートが海水を吸収して反りやすく、その結果、海藻付き紐状体が基質プレートに対し動いて海藻付き紐状体から海藻の胞子や幼体が脱落したり、さらには海藻付き紐状体自体が基質プレートから脱落する虞もあり、海藻種苗を安定的かつ効率良く育成できないという問題があった。
【０００６】
本発明は、このような問題点を解決するためになされたもので、海藻付き紐状体を基質プレートに確実に固定して、海藻種苗を安定的かつ効率良く育成できる海藻種苗の育成方法を提供することを目的とする。
【課題を解決するための手段】
【０００７】
前記目的を達成するため、請求項１に係る発明の海藻種苗の育成方法は、少なくともガラスマットの上にポリエステル編地を積層して合成樹脂の含浸により一体化した基質プレートの表面に溝部を形成し、その溝部に海藻の胞子や幼体等の海藻種苗が付着した海藻付き紐状体を挿入した後、接着剤で海藻付き紐状体を該溝部に固定し、この海藻付き紐状体が接着剤で溝部に固定された基質プレートを培養水に浸けて海藻種苗を育成することを特徴とする。このような構成にすると、基質プレートが木材のように培養水等の海水で反ったりすることがなく、腐食もしないので、海藻付き紐状体を安定して固定できる。また、基質プレートの上面をポリエステル編地としているので接着剤の浸透性が良く、海藻付き紐状体を確実に固定できる。
また、前記基質プレートは、ガラスマットと、発泡性気泡マットと、ガラスマットと、ポリエステル編地の順に積層した４層構造とし、それらを不飽和ポリエステル樹脂により一体化したものでも良い。このような構成にすると、発泡性気泡マットを有するので、基質プレートの比重の調整が容易になり、海藻付き紐状体を固定した基質プレートを、培養水に浮かべて育成することも可能である。
【発明の効果】
【０００８】
本発明の海藻種苗の育成方法では、少なくともガラスマットの上にポリエステル編地を積層して不飽和ポリエステル樹脂等の含浸により一体化した基質プレートの表面に溝部を形成し、その溝部に海藻の胞子や幼体等の海藻種苗が付着した海藻付き紐状体を挿入した後、接着剤で海藻付き紐状体を該溝部に固定するようにしたので、海中において基質プレートに反りなどの変形が生じることがなく、波の影響等で揺られた際に、海藻付き紐状体が基質プレートに対し動いて海藻付き紐状体から海藻の胞子や幼体が脱落したり、海藻付き紐状体自体が基質プレートから脱落する虞もなくなり、海藻種苗を安定的かつ効率良く育成できる。また、基質プレートが木材のように腐食もしないので、海藻付き紐状体を安定して固定できる。また、基質プレートが織成した素材を主体としていることから接着剤の浸透性が良く、海藻付き紐状体を確実に固定できる。
【図面の簡単な説明】
【０００９】
【図１】本発明に係る海藻種苗の育成方法で使用する基質プレートを示す斜視図である。
【図２】基質プレートのＡ−Ａ線断面を示す断面図である。
【図３】基質プレートと海藻付き紐状体を示す斜視図である。
【図４】基質プレートの溝部に海藻付き紐状体を固定する手順を示す斜視図である。
【図５】海藻付き紐状体を固定した基質プレートを水槽に浮かべて育成する状態を示す斜視図である。
【図６】海藻付き紐状体の海藻種苗が生育した基質プレートを増殖礁に固定した状態を示す斜視図である。
【発明を実施するための形態】
【００１０】
次に、本発明に係る海藻種苗の育成方法の一実施形態について説明する。
本発明に係る海藻種苗の育成方法は、図１〜図５に示すように、ガラスマット１ａの上にポリエステル編地１ｂを積層して不飽和ポリエステル樹脂等の含浸により一体化した基質プレート１の表面に溝部１１を形成し、その溝部１１に海藻の胞子や幼体等の海藻種苗が付着された海藻付き紐状体２を挿入し、その後、海藻付き紐状体２と基質プレート１をゴムバンド３で固定すると共に、接着剤４で海藻付き紐状体２を溝部１１に固定する。その後、海藻付き紐状体２が溝部１１に固定された基質プレート１を、水槽５内の海水を主成分とする培養水６に浸けて海藻種苗を育成する。そして水槽５内で生育した海藻種苗は、例えば、図６に示すように基質プレート１に取付けたまま増殖礁７に固定する。なお、ゴムバンド３は、必ず使用するものではなく、いわゆる瞬間接着剤のようなものを使用する場合には、これを省くことができる。また、基質プレート１の積層構造を一体化するための合成樹脂は、不飽和ポリエステル樹脂に限定されず、織成されたガラスマット１ａやポリエステル編地１ｂの内部に浸透可能な合成樹脂であればよい。
【００１１】
図１は、基質プレート１の形状を示している。基質プレート１は、例えば、幅４０ｍｍ、長さが４００ｍｍ、厚さ６ｍｍの長尺部材からなり、長手方向の両端にそれぞれ増殖礁７に対し固定するためのボルト孔１２，１３が設けられている。ボルト孔１２，１３のうちの、例えばボルト孔１３は、長孔であり、増殖礁７に固定する際のボルト間隔の誤差を吸収できるようにしている。また、基質プレート１の短手方向の中央には、両端のボルト孔１２，１３を連結し長手方向に延びる、例えば、幅６ｍｍ、深さ４ｍｍの溝部１１が形成されている。
【００１２】
図２（ａ），（ｂ）は、それぞれ、図１に示す基質プレート１のＡ−Ａ線断面を示している。図２（ａ）に示す基質プレート１は、下層部と上層部の２層から構成されている。下層部は、例えば、ガラス繊維を布状に織成した、軽く取り扱い容易なガラスマット１ａから構成されている一方、上層部は、例えば、凸凹のあるポリエステル編地１ｂから構成され、ガラスマット１ａとポリエステル編地１ｂとを不飽和ポリエステル樹脂等で固めている。図２（ａ）に示す基質プレート１は、木材ではなく、ガラスマット１ａとポリエステル編地１ｂとから構成されているので、強度が強い一方、溝部１１を形成することが容易で、また培養水６等が浸透しても反ることはない。ただし、図２（ａ）に示す基質プレート１のこの２層の構成は、一例であり、図２（ｂ）に示すように４層構造にしても良い。図２（ｂ）に示す４層構造の基質プレート１では、ガラスマット１ａの下層部と、気泡を含んだ発泡性気泡マット１ｃの第１中層部と、さらにガラスマット１ａの第２中層部と、凸凹のあるポリエステル編地１ｂの上層部との４層にしている。図２（ｂ）に示す４層構造の基質プレート１の場合、発泡性気泡マット１ｃの層を有するので、その厚さを調整することにより、基質プレート１の比重の調整が容易となる。そのため、基質プレート１に海藻付き紐状体２を固定しても、図５（ａ）に示すように、容易に培養水６に浮かべることが可能となる。その結果、例えば、背景技術の欄で引用した特開２０１１―３０５０９号公報に記載されているように、海藻付き紐状体２が固定された基質プレート１を培養水６の水面に浮かべる共に、上方からシャワーをかけることで、ツルアラメ等の育成すべき海藻種苗以外の単細胞性の珪藻等が付着し、育成すべき海藻種苗の生育を阻害することを抑制することができる。
【００１３】
図３は、基質プレート１と海藻付き紐状体２の一例を示している。この海藻付き紐状体２は、海藻種苗として、例えば、ツルアラメ等の海藻の幼体（以下、海藻幼体と略す。）２１が合成繊維ロープ２２に固定されている。合成繊維ロープ２２は、その長さが基質プレート１に形成された溝部１１の長さ、すなわちボルト孔１２，１３間の長さより短く、その径が３ｍｍ程度のものが使用されている。基質プレート１の溝部１１の幅が６ｍｍで、深さが４ｍｍであるので、合成繊維ロープ２２を基質プレート１の溝部１１に入れることができる。なお、ここでは、海藻付き紐状体２として、合成繊維ロープ２２に海藻幼体２１が固定されているものを一例に説明するが、これに限定されず、合成繊維ロープ２２に海藻の胞子が付着されているものでも構わない。また、合成繊維ロープ２２の径も、３ｍｍに限定されるものではなく、３〜８ｍｍ程度でも良い。ただし、基質プレート１の溝部１１の幅や深さは、海藻付き紐状体２が確実に挿入されるように合成繊維ロープ２２の径より大きくする必要があり、＋１〜３ｍｍ程度大きくすると良い。
【００１４】
図４は、基質プレート１の溝部１１に海藻付き紐状体２を固定する手順を示す斜視図である。図４（ａ）は、ツルアラメ等の海藻幼体２１が付着した海藻付き紐状体２を基質プレート１の溝部１１に挿入した後、まず、基質プレート１の長手方向で、例えば、１０ｃｍなどの所定間隔毎にゴムバンド３などで仮固定する。次に、図４（ｂ）に示すように、海藻付き紐状体２を、瞬間接着剤などの接着剤４で溝部１１に固定する。これにより、海藻付き紐状体２を基質プレート１の溝部１１に挿入するだけでなく、接着剤４で基質プレート１の溝部１１に固定するようにしたので、基質プレート１が波の影響等で揺られた際に、海藻付き紐状体２が基質プレート１に対し動いて海藻付き紐状体２から海藻の胞子や幼体が脱落したり、さらには海藻付き紐状体２自体が基質プレート１から脱落することがなくなり、海藻幼体２１等の海藻種苗を安定的かつ効率良く育成できる。また、基質プレート１がガラスマット１ａやポリエステル編地１ｂ等の木材以外の部材から構成されているので、木材のように培養水で反ったりすることがなく、腐食もしないので、海藻付き紐状体２を安定して固定して生育することができる。また、基質プレート１がガラスマット１ａとポリエステル編地１ｂ等の織成した素材を主体としていることから、接着剤４の浸透性が良く、この点でも基質プレート１に海藻付き紐状体２を確実に固定できる。なお、ゴムバンド３は接着剤４による固定が完了した段階で除去するか、あるいはそのまま残してもよい。
【００１５】
図５は、海藻付き紐状体２を固定した基質プレート１を、水槽５の培養水６内に入れて育成する状態を示しており、（ａ）は基質プレート１を培養水６に浮かべて育成する状態、（ｂ）は基質プレート１を培養水６で満たした水槽５の底に沈めて育成する状態を示している。基質プレート１を培養水６に浮かべて育成するか、培養水６で満たした水槽５の底に沈めて育成するかは、育成対象の海藻種苗に応じて適切な方を選択する。なお、水槽５は、ツルアラメ等の海藻幼体２１の育成に最適な海水等からなる培養水６により満たされている。海藻付き紐状体２が溝部１１に固定された基質プレート１を水槽５の培養水６内に入れて、２ケ月〜３ケ月程度育成する。すると、ツルアラメ等の海藻幼体２１の仮根が海藻付き紐状体２の合成繊維ロープ２２を介し、ガラスマット１ａとポリエステル編地１ｂ等からなる基質プレート１の表面に張り巡されていくので、海藻幼体２１がより強固に基質プレート１に固定されることになる。そして、水槽５内で、基質プレート１に固定された海藻付き紐状体２の海藻幼体２１を育成すると、水槽５から基質プレート１を取り出し、例えば、図６に示すようにコンクリートブロック等の増殖礁７に固定する。
【００１６】
図６は、海藻付き紐状体２の海藻幼体２１が育成された基質プレート１を増殖礁７に固定した状態を示す。増殖礁７は、コンクリートブロック等の重量物からなる。基質プレート１には、図１等に示したようにボルト孔１２，１３が設けられているので、ボルト孔１２，１３を介しボルト（図示せず。）で増殖礁７の上面７１に固定する。そして、基質プレート１を固定した増殖礁７を海底に沈め、藻場礁などにする。
【符号の説明】
【００１７】
１…基質プレート、１ａ…ガラスマット、１ｂ…ポリエステル編地、１１…溝部、１２，１３…ボルト孔、２…海藻付き紐状体、２１…海藻幼体、２２…合成繊維ロープ、３…ゴムバンド、４…接着剤、５…水槽、６…培養水、７…増殖礁。
【図１】
2013078283.tif 000003
【図２】
2013078283.tif 000004
【図３】
2013078283.tif 000005
【図４】
2013078283.tif 000006
【図５】
2013078283.tif 000007
【図６】
2013078283.tif 000008